(57)【要約】【課題】  机やテーブル上に置いて使い、製作工数が低くて低コストの卓上カレンダーの提供。【解決手段】  薄い板材で構成する支持板１の両側端部には一部を折り曲げて正面側へ延ばした爪３，３・・・を有し、この爪３，３・・・にカレンダー用紙２を湾曲して側端を係止して取付けた卓上カレンダー。【選択図】    図１
2015189087.tif 000002
【特許請求の範囲】
【請求項１】
机やテーブル上に置いて使う卓上カレンダーにおいて、薄い板材で構成する支持板の両側端部には一部を折り曲げて正面側へ延ばした爪を有し、この爪にカレンダー用紙を湾曲して側端を係止して取付けたことを特徴とする卓上カレンダー。
【請求項２】
上記支持板の側端部を折り曲げることで、爪を正面側へ延ばした請求項１記載の卓上カレンダー。
【請求項３】
支持板の下端部には一部を折り曲げて正面側へ延びるアームを設け、該アーム先端に載置片を突出し、爪に係止したカレンダー用紙の正面部を載置片に載せることで傾斜して取付けた請求項１、又は請求項２記載の卓上カレンダー。
【発明の詳細な説明】
【技術分野】
【０００１】
本発明は、机やテーブルの上に載置して使うことが出来る卓上カレンダーに関するものである。
【背景技術】
【０００２】
今日、卓上カレンダーと言われるものは色々なものが知られている。従来の卓上カレンダーとしての一般的な形態は、図８に示しているように、表面に月日や曜日等を表記したカレンダー用紙（イ）、（イ）・・・を複数枚重ね合わせ、その上辺部を表紙と共に綴じ具（ロ）によって冊子状に綴じ込み、卓上に起立させて使用することが出来るように構成している。
【０００３】
上記カレンダー用紙（イ）、（イ）・・・は、三角筒状の支持具（ハ）によって支持されており、最表面に位置している当月分のカレンダー用紙（イ）を、上記綴じ具（ロ）を支点として上方へ回動させて捲ることにより、当月分のカレンダー用紙（イ）は、支持具（ハ）の背面側に位置させることができる。最表面には、当月分のカレンダー用紙（イ）の下側に位置していた次月分のカレンダー用紙（イ）が現れる。そして、この次月分のカレンダー用紙（イ）を同様に回転させると、さらに、次の月分のカレンダー用紙（イ）を最表面に位置させて見ることが出来るようにしている。
【０００４】
このように、従来の卓上カレンダーでは、最表面に位置しているカレンダー用紙（イ）を順次捲って支持具（ハ）の背面側へ送るだけで、卓上に配置することで手軽に年月日や曜日を確認することができる。
上記したような形態の卓上カレンダーでは、各カレンダー用紙（イ）の表面に、暦情報といった機能的な記載の他に、装飾性を高めるために、イラストや写真等の装飾部分が印刷されているものも多い。
【０００５】
実開平７−４３１２０号に係る「卓上カレンダー」は、テ−ブル上や机上に立てて日常生活において使用される卓上カレンダーの改良に関するものである。そこで、左端部に年度月記載及びメモ記載欄、上部に曜日記載、中央に日付枠を有する日付欄からなるカレンダー本体の一部分に折返片を設け、折り返して立つように構成している。
【０００６】
実開平５−８２５７６号に係る「卓上式日捲りカレンダー」は、卓上は設置に場所を取らず、且つカレンダー片に記入したメモ等を人目にさらすことのないカレンダーである。そこで、卓上式日捲りカレンダーの載置台の一側面に溝部を穿設し、且つ該一側面にガイド棒を立設し、且つ該ガイド棒に回動自在に挿通されたカレンダー片の蓋体が設けられ、しかも蓋体をガイド棒に沿って外側方向に回動した際、開放された位置で回動を阻止すべく、蓋体の一側片が載置台の溝部に係入脱自在に形成されている。
【特許文献１】実開平７−４３１２０号に係る「卓上カレンダー」
【特許文献２】実開平５−８２５７６号に係る「卓上式日捲りカレンダー」
【発明の開示】
【発明が解決しようとする課題】
【０００７】
このように、卓上カレンダーは色々あるが、上記のように支持具（本体）に複数枚のカレンダー用紙を取付けて構成している。そこで、支持具は単独で机やテーブル上に起立することが出来、カレンダー用紙を取付けても支持具が転倒しないように安定して起立することが出来る構造としている。その為に、従来の卓上カレンダーは製作工数は大きくなり、必然的にコスト高と成ってしまう。
本発明が解決しようとする課題はこの問題点であり、製作工数が低く価格の安い卓上カレンダーを提供する。
【課題を解決するための手段】
【０００８】
本発明に係る卓上カレンダーは支持板とカレンダー用紙で構成し、該支持板にはカレンダー用紙を取付け、カレンダー用紙を取付けた状態で起立することが出来る構造としている。すなわち、支持板は薄い板材で構成されて従来のような立方体ではなく、そのために支持板単独では安定して起立することが出来ないが、カレンダー用紙を取付けることで机やテーブル上に起立することが可能となる。
【０００９】
支持板は薄い板材（材質は問わない）で構成し、両側端部には爪を折り曲げて形成している。そしてカレンダー用紙はその両側端を上記爪に係止することで取付けられる。カレンダー用紙の横寸法は支持板に設けた左右の爪間距離より大きく、そのために、両爪に側端が係止するならば、カレンダー用紙は正面側に凸状に湾曲して支持板と共に立方体を構成することで起立することが出来る。ここで、カレンダー用紙の表面に記載される具体的な表記内容は限定しないが、凸状に湾曲した場合に平坦に戻ろうとする弾性復元力を備えている。
【発明の効果】
【００１０】
本発明に係る卓上カレンダーは板材で構成した支持板とカレンダー用紙を組み合わせた構造としている。支持板はプラスチック製又は金属製の薄い板材、又は紙や生分解プラスチックなどで構成し、この板材の側端部を折り曲げて爪を設けたもので、その製作は簡単でコストは安くなる。カレンダー用紙は湾曲することが出来るように弾性を備え、その表面に月日、曜日などが記載されている。
【００１１】
カレンダー用紙は凸状に湾曲してその両側端を左右に設けた爪に係止することで支持板に取付けられ、卓上カレンダーを簡単に構成することが出来る。従来のような綴じ具にてカレンダー用紙を綴じる必要もなく、組立作業も簡単となる。そして、爪に係止したカレンダー用紙は弾性復元力の作用で該爪から外れることなく安定する。
【００１２】
ここで、支持板の大きさはカレンダー用紙とほぼ同じ縦横寸法を有したサイズとし、そのためにカレンダー用紙と支持板は互いに重ね合わせた状態で収容袋に入れて販売することが出来る。したがって、搬送や保管に際しては嵩張ることなく便利である。しかし、カレンダー用紙の横寸法を支持板より大きくすることで机やテーブル上に置いた際の設置面積は大きく成って、より安定する。
一方、支持板にカレンダー用紙を取付けることで間には空間が形成され、この空間に鉛筆やボールペン、又はカッターなどの小物類を入れることが出来る。
【図面の簡単な説明】
【００１３】
【図１】本発明に係る卓上カレンダーを示す実施例。
【図２】卓上カレンダーを構成する支持板。
【図３】卓上カレンダーの支持板で、爪を起立した場合。
【図４】（ａ）は卓上カレンダーを構成する支持板、（ｂ）は該支持板にカレンダー用紙を取付けた場合。
【図５】（ａ）は卓上カレンダーを構成する支持板を示す他の実施例、（ｂ）は該支持板に設けたアームを折り曲げて起立した場合。
【図６】図５に示す支持板にカレンダー用紙を取付けた場合で、（ａ）は側面図、（ｂ）は斜視図。
【図７】図５に示す支持板にカレンダー用紙を取付けた場合の下方からの斜視図。
【図８】従来の一般的な卓上カレンダー。
【発明を実施するための形態】
【００１４】
図１（ａ）、（ｂ）は本発明に係る卓上カレンダーを示す実施例である。同図の１ａ，１ｂは支持板、２ａ，２ｂはカレンダー用紙を表している。支持板１ａの両側端部にはそれぞれ２か所に爪３ａ，３ａ・・・を正面側へ延ばしている。該爪３ａ，３ａ・・・は支持板１ａの一部を曲げ成形したものであり、この両側端部の爪３ａ，３ａ・・・にカレンダー用紙２ａの両側端４ａ，４ａが係止している。そして、支持板１ａの上端部中央には引っ掛け穴５ａが貫通して設けられ、壁に掛けることも出来るように成っている。
【００１５】
また、支持板１ｂの両側端部には爪３ｂ，３ｂを正面側へ延ばしている。該爪３ｂ，３ｂは支持板１ｂの一部を曲げ成形したものであり、この両側端部の爪３ｂ，３ｂにカレンダー用紙２ｂの両側端４ｂ，４ｂが係止して取付けられている。該爪３ｂ，３ｂは同図（ａ）の支持板１ａに設けた爪３ａとは異なり、縦方向に長く延びた形状を有し、そして同じく支持板１ｂの上端部中央には引っ掛け穴５ｂが貫通している。
【００１６】
ところで、カレンダー用紙２ａはその両側端４ａ，４ａが爪３ａ，３ａ・・・に係止することで、正面側へ突出した湾曲形状を成し、その為に卓上カレンダーは転倒することなく起立することが出来る。
すなわち、平坦な支持板１ａにカレンダー用紙２ａを取付けることで立体形を形成して転倒しない構造と成る。カレンダー用紙２ａは支持板１ａと縦横寸法を同じサイズとし、両側端部に設けた爪３ａ，３ａ・・・に係止することで同図に示すような湾曲形状と成り、下縁は支持板１ａと同一面に位置する。
【００１７】
勿論、カレンダー用紙２ａの横寸法を支持板１ａより大きくするならば設置面積が増大して、机やテーブル上に置いた際の安定性は向上する。
そして、カレンダー用紙２ａを支持板１ａに取付けるならば、該カレンダー用紙２ａは正面側へ突出して滑らかな凸状に湾曲し、その為に、カレンダー用紙２ａと支持板１ａとの間には空間が形成される。そこで、この空間に鉛筆やボールペン、その他の小物類を入れることが出来る。
【００１８】
同じく、カレンダー用紙２ｂはその両側端４ｂ，４ｂが爪３ｂ，３ｂに係止することで、正面側へ突出した湾曲形状を成し、その為に卓上カレンダーは転倒することなく起立することが出来る。カレンダー用紙２ｂは支持板１ｂと縦横寸法を同じサイズとし、両側端部に設けた爪３ｂ，３ｂに係止することで同図に示すように湾曲形状と成り、下縁は支持板１ｂと同一面に位置する。
【００１９】
図２（ａ）、（ｂ）は支持板１ａ，１ｂを表している。支持板１ａは長方形を成し、両側端部の４か所には溝６ａ，６ａ・・・を貫通し、爪３ａ，３ａ・・・を設けている。該爪３ａ，３ａ・・・は支持板１ａと同一面にあり、支持板１ａとの境界となる基部を軸として折り曲げるならば、前記図１（ａ）に示したように正面側へ延びる爪３ａ，３ａ・・・となる。
同じく、支持板１ｂは長方形を成し、両側端部の２か所には溝６ｂ，６ｂを貫通し、爪３ｂ，３ｂを設けている。該爪３ｂ，３ｂは支持板１ｂと同一面にあり、支持板１ｂとの境界となる基部を軸として折り曲げるならば、前記図１（ｂ）に示したように正面側へ延びる爪３ｂ，３ｂとなる。
【００２０】
図３（ａ）は前記図２ａの支持板１ａに設けた爪３ａ，３ａ・・・を曲げて正面側へ延ばした場合である。また、図３（ｂ）は前記図２ｂの支持板１ｂに設けた爪３ｂ，３ｂを曲げて正面側へ延ばした場合である。上記爪３ａ，３ａ・・・、及びツメ３ｂ，３ｂは支持板１ａ，１ｂに対して垂直ではなく、カレンダー用紙２ａ，２ｂの側端が係止し易いようにある程度傾斜している。すなわち、折り曲げ角度は９０°以下としている。
【００２１】
図４（ｂ）は本発明に係る卓上カレンダーを示す他の実施例であり、（ａ）はこの卓上カレンダーを構成する支持板７を表している。この支持板７は図２（ａ）に示す支持板１ａの両側端部８，８を折り曲げた場合であり、側端部８，８を折り曲げることで爪３ａ，３ａ・・・は正面側へ突出する。そして、図４（ｂ）は、この支持板７の爪３ａ，３ａ・・・にカレンダー用紙２を係止して取付けた場合を示している。
【００２２】
図５（ａ）は支持板９を示す他の実施例である。この支持板９は側端部に爪３ａ，３ａ・・・を有し、そして下端部にはアーム１０ａ，１０ｂが対を成して設けている。一方のアーム１０ａの先端には小さい凸片１１を設け、他方のアーム１０ｂの先端部には小さい穴１２を貫通して設けている。また、アーム１０ｂの先端には小さい載置片１３を延ばしている。図５（ｂ）は側端部８，８を折り曲げることで爪３ａ，３ａ・・・を正面側へ延ばし、そして、アーム１０ａ，１０ｂを正面側へ折り曲げ、凸片１１を穴１２に嵌入した場合を示している。
【００２３】
図６は前記図５（ｂ）に示した支持板９にカレンダー用紙２を取付けた場合で、（ａ）は側面図、（ｂ）は斜視図を表している。カレンダー用紙２はその両側端を爪３ａ，３ａ・・・に係止して取付けられ、そして湾曲した正面部は載置片１３の上に載っている。したがって、カレンダー用紙２は湾曲した正面部が載置片１３の上に載ることで僅かに傾斜して取付けられ、そのために机やテーブル上に置いた場合にカレンダーが見易くなる。
【００２４】
図７は下方からの斜視図を表している場合であるが、カレンダー用紙２の下縁がアーム１０ｂの先端に設けた載置片１３の上に載っている。
ところで、カレンダー用紙２，２・・・は１２か月分が１組と成っているが、支持板には１２枚をまとめて爪３，３に係止して取付けることが出来るが、１枚づつ取付ける場合もあり、これは本発明の卓上カレンダーを使う人の自由である。
【符号の説明】
【００２５】
１   支持板
２   カレンダー用紙
３   爪
４   側端
５   引っ掛け穴
６   溝
７   支持板
８   側端部
９   支持板
10   アーム
11   凸片
12   穴
13   載置片
【図１】
2015189087.tif 000003
【図２】
2015189087.tif 000004
【図３】
2015189087.tif 000005
【図４】
2015189087.tif 000006
【図５】
2015189087.tif 000007
【図６】
2015189087.tif 000008
【図７】
2015189087.tif 000009
【図８】
2015189087.tif 000010